(57)【要約】【課題】停留の有無により遊技状況が刻々と変化し、遊技者はその停留状況を見ることにより現況の遊技状態の有利，不利が分かり、常に変化に富んだ遊技を楽しむことができるパチンコ遊技機を提供する。【解決手段】始動口３に遊技球１５が入賞することにより図柄変動表示器２が変動表示され、該図柄変動表示器に所定の確率で特定図柄が表示されると遊技者に有利な特別遊技状態となるように構成されたパチンコ遊技機において、遊技盤の可視領域に遊技球が停留可能な停留部１２ａ，１２ｂ，１２ｃを設け、該停留部に遊技球が停留したことを検出する検出器１３ａ，１３ｂ，１３ｃを設けるとともに、停留した遊技球を該停留部から排出させる球排出装置１８を設け、該停留部に遊技球が停留することにより特別遊技状態となる確率が変動するようにした。【選択図】  図１
2004337453.tif 000002
【特許請求の範囲】
【請求項１】
遊技盤の可視領域に遊技球が停留可能な停留部を設け、該停留部に遊技球が停留したことを検出する検出器を設けるとともに、停留した遊技球を該停留部から排出させる球排出装置を設け、該停留部に遊技球が停留することにより遊技状態が遊技者にとって有利または不利な状態に変化するようにしたことを特徴とするパチンコ遊技機。
【請求項２】
始動口に遊技球が入賞することにより図柄変動表示器が変動表示され、該図柄変動表示器に所定の確率で特定図柄が表示されると遊技者に有利な特別遊技状態となるように構成されたパチンコ遊技機において、遊技盤の可視領域に遊技球が停留可能な停留部を設け、該停留部に遊技球が停留したことを検出する検出器を設けるとともに、停留した遊技球を該停留部から排出させる球排出装置を設け、該停留部に遊技球が停留することにより特別遊技状態となる確率が変動するようにしたことを特徴とするパチンコ遊技機。
【請求項３】
停留部を遊技盤の可視領域に複数箇所設け、該各停留部における遊技球の停留の有無に従って遊技状態の有利または不利の程度が変化するようにしたことを特徴とする請求項１または２に記載のパチンコ遊技機。
【請求項４】
停留部を遊技球が停留し易い状態と停留し難い状態とに変位させるようにしたことを特徴とする請求項１〜３のいずれかに記載のパチンコ遊技機。
【発明の詳細な説明】
【０００１】
【発明の属する技術分野】
本発明は、停留部に遊技球が停留することによって遊技状態が変化するパチンコ遊技機に関するものである。
【０００２】
【従来の技術】
始動口に打球が入賞し図柄変動表示器に数字，記号等の図柄が複数の表示列にて動画状に流れる如くに変動表示された後に所定の確率で例えば「３３３」，「７７７」のように３列とも同じ図柄に揃った場合に特別遊技状態（大当たり）が発生し、可変入賞装置（大入賞口）の開閉扉がソレノイドの作動により継続的に開成状態となり、打球が極めて入り易い状況となることで多数の景品球を獲得できて遊技者に多くの利益がもたらされるパチンコ遊技機が知られている。また、上記のような特別遊技状態が発生する確率は、通常は１／２５０程度に設定されているが、例えば「７７７」で揃った場合にはその特別遊技状態が終了した後に上記確率を１／２０の高確率に変動させるパチンコ遊技機も従来から知られている。
【０００３】
【特許文献１】
特開２００１−１９８２８３号公報
【０００４】
また、本出願人の特許出願に係る上記特許文献１に記載のパチンコ遊技機では、遊技球が入賞または通過することにより特別遊技状態の発生確率を変動させる確率変動領域を遊技盤に設けることにより、遊技中にこの確率が変動するようにし、この種のパチンコ遊技機の娯楽性を増大しようとするものであった。
【０００５】
【発明が解決しようとする課題】
しかしながら上記従来のパチンコ遊技機は、特別遊技状態が発生しない限り確率が変動しないので、遊技が単調で遊技状況によっては期待感が損なわれる欠点がある。また、上記特許文献１に記載のパチンコ遊技機では、遊技球の入賞または通過が一瞬のことであるので、遊技者にとってその後の現況の遊技状態が有利であるのか不利であるのかが分かり難く、遊技を継続させる要因となり難いという問題があった。
本発明は、このような従来のパチンコ遊技機の欠点を解消し、この種のパチンコ遊技機の娯楽性を一層増大させようとするものである。
【０００６】
【課題を解決するための手段】
そのために本発明は、遊技盤の可視領域に遊技球が停留可能な停留部を設け、該停留部に遊技球が停留したことを検出する検出器を設けるとともに、停留した遊技球を該停留部から排出させる球排出装置を設け、該停留部に遊技球が停留することにより遊技状態が遊技者にとって有利または不利な状態に変化するようにしたことを特徴とする。
また本発明は、始動口に遊技球が入賞することにより図柄変動表示器が変動表示され、該図柄変動表示器に所定の確率で特定図柄が表示されると遊技者に有利な特別遊技状態となるように構成されたパチンコ遊技機において、遊技盤の可視領域に遊技球が停留可能な停留部を設け、該停留部に遊技球が停留したことを検出する検出器を設けるとともに、停留した遊技球を該停留部から排出させる球排出装置を設け、該停留部に遊技球が停留することにより特別遊技状態となる確率が変動するようにしたことを特徴とする。
また本発明は上記パチンコ遊技機において、停留部を遊技盤の可視領域に複数箇所設け、該各停留部における遊技球の停留の有無に従って遊技状態の有利または不利の程度が変化するようにしたことを特徴とする。
また本発明は上記パチンコ遊技機において、停留部を遊技球が停留し易い状態と停留し難い状態とに変位させるようにしたことを特徴とする。
【０００７】
【発明の実施の形態】
次に図面に従い本発明に係るパチンコ遊技機の実施の形態を説明する。図１は遊技盤の正面図で、図中、２はこの遊技盤１上に設けられたカラー液晶ディスプレイからなる図柄変動表示器、３は一対の開閉翼片がソレノイドの作動により逆ハ字状に開閉動するように設けられたいわゆるチューリップ型の始動口、４は該始動口３の下方に設けられた大きな長方形状の大入賞口にソレノイドの作動により開閉動するように開閉扉５を設けてなる可変入賞装置、６〜８は普通入賞口である。
【０００８】
９は上記図柄変動表示器２の一側に遊技球が流入し得るように設けられた球受口で、図２に示したように該球受口９から流入した遊技球１５はワープ通路を通って球出口１１より排出され該図柄変動表示器２の前下縁に形成されたステージ１４上に導かれ、該ステージ１４上を遊動するようにしている。該ステージ１４は遊技者が見られるように可視領域にあるとともに、前方に緩い傾斜状なるように形成されている。そしてステージ１４上を遊動する遊技球１５が停留し得るように該ステージ１４に該遊技球より少し小径の３つの丸孔を適宜間隔を離して形成することで停留部１２ａ，１２ｂ，１２ｃをステージ１４に並設するとともに、該各丸孔の底部に遊技球の重みによって接点が閉じるメカニカルスイッチからなる検出器１３ａ，１３ｂ，１３ｃを設け、該検出器によって該各停留部に停留した遊技球を検出し得るようにしている。
【０００９】
また、図３，図４に示したように、上記検出器１３ａ，１３ｂ，１３ｃは支持片１６により一体的に支持され、該支持片１６は案内板１７により上下動自在に支持され、該検出器１３ａ，１３ｂ，１３ｃが球排出装置１８により上下動するように構成される。該球排出装置１８は、フレーム１９に支軸２０により枢着されたクランプ２１と、該クランプに枠体２２が係合するように作動杆２３に該枠体２２を固着してなるソレノイド２４とから構成され、クランプ２１の先端を前記支持片１６に係合させている。このため、図５に示したように、ソレノイド２４を作動させ、枠体２２を進退動させてクランプ２１を揺動させることにより、支持片１６が上下動し検出器１３ａ，１３ｂ，１３ｃを上下動させることから、該停留部１２ａ，１２ｂ，１２ｃに停留していた遊技球が該検出器により持ち上げられ、図６に示したように、ステージ１４の前縁に排出される。
【００１０】
また、図７はこのパチンコ遊技機の本発明に関連する遊技制御回路の要部を示したブロック図である。この遊技制御回路３０はＣＰＵとＲＡＭとＲＯＭと入出力回路部とからなり、該入出力回路部には、前記始動口３に入賞した遊技球を検出する始動スイッチ３１と、前記可変入賞装置４への入賞球を計数する大入賞口スイッチ３２と、該可変入賞装置４内に予め設けられている継続入賞口への入賞を検出する特定領域スイッチ３３と、前記検出器１３ａ，１３ｂ，１３ｃが設けられているほか、前記図柄変動表示器２、前記始動口３の開閉翼片を作動させるソレノイド３４、前記可変入賞装置４の開閉扉５を開閉動させるソレノイド３５、および、前記球排出装置１８のソレノイド２４が接続されている。なお、図示省略するが、その他、ランプ，発光ダイオード、音声発生装置等が接続されている。
【００１１】
次にこのパチンコ遊技機の作動を説明する。このパチンコ遊技機では、遊技盤１の遊技領域に遊技者が弾発した遊技球が始動口３に入賞すると、乱数が取得されるとともに、図柄変動表示器２に複数の図柄が３列にて動画状に流れる如くに変動表示され、取得された乱数が判定されることにより所定の確率（通常は１／３５０の確率）で「３３３」「７７７」等の大当たり図柄が図柄変動表示器２に表示されて特別遊技状態を発生させたり、或いは、これらの図柄が表示されることなくハズレとなる。そして特別遊技状態となった場合は可変入賞装置４の開閉扉５がソレノイド３５の作動により継続的に開成状態となり、遊技球が該可変入賞装置４に極めて入り易い状況となることから、多数の景品球を獲得できて遊技者に多くの利益がもたらされる。
【００１２】
また、遊技者が弾発した遊技球が球受口９に流入し上記のようにステージ１４上に導かれると、その遊技球１５は該ステージ１４上で遊動し、上記３つの停留部１２ａ，１２ｂ，１２ｃのうちのいずれかに停留したり、或いは停留することなく該ステージ１４の前縁より遊技盤１上に排出される。そして、停留部１２ａ，１２ｂ，１２ｃに遊技球が停留するとその遊技球は夫々検出器１３ａ，１３ｂ，１３ｃによって検出される。このため、図８に確率設定ルーチンのフローチャートを例示したように、初期状態ではステップａにより確率が１／３５０に設定されているが、例えば遊技球が左位置にある停留部１２ａに停留すると、ステップｂ，ｃを経由することにより確率が１／３００に変更され、遊技球が右位置にある停留部１２ｃに停留すると、ステップｄ，ｅを経由することにより確率が１／２００に変更され、遊技球が中央にある停留部１２ｂに停留すると、ステップｆ，ｇを経由することにより確率が１／１００に変更される。なお、このような設定変更は、特別遊技状態をもたらす乱数の設定を増減することで簡単に行い得る。
【００１３】
このため遊技者は、遊技球がなるべく有利な停留部に停留されるように期待するとともに、その遊技球の停留状況を見ることによって現況の特別遊技状態の発生確率を知り、或いは推察することができる。なお、停留後一定時間が経過したり、或いは特別遊技状態が発生したり、或いはその他の要因により、前記球排出装置１８のソレノイド２４が作動し、検出器１３ａ，１３ｂ，１３ｃが上動して停留部１２ａ，１２ｂ，１２ｃに停留していた遊技球が排出されることにより、上記確率は初期の設定状態に戻される。
【００１４】
一方、図９に示したフローチャートは、遊技球が停留している停留部の個数に従い特別遊技状態発生の確率が変更されるようにするもので、全部（３つとも）の停留部に遊技球が停留している場合は、確率は１／１００に設定され、２つの停留部に遊技球が停留している場合は１／２００、１つの停留部にのみ遊技球が停留している場合は１／３００、全く遊技球が停留していない場合は１／３５０に設定される。この場合も一定時間経過後等に球排出装置１８を作動させ停留球を排出することにより、初期の設定状態に戻される。
【００１５】
なお、この実施形態では遊技球が停留することにより特別遊技状態の発生確率が変動し遊技者にとって有利または不利な状態に変化するようにしたが、前記始動口３の開閉翼片の開成時間を変動させたり、或いは、払出賞球数を変更させたり、特別遊技状態が発生した場合の最高継続回数（ラウンド数）を変更させることにより、有利または不利な状態に変化するように設定することもできる。また、遊技球が停留することにより所定入賞口が開放され遊技球が入賞し易くすることで有利な状態に変化するように設定することも可能である。
また、上記実施形態では遊技球の停留検出にメカニカルスイッチを使用したが、光センサ，近接スイッチ等により遊技球の有無を検出させてもよいこと勿論である。
【００１６】
なお、各停留部に遊技球が停留した場合の確率の変動等の説明が図柄変動表示器２に表示されるようにしてもよい。
【００１７】
また、図示しないが、上記球受口９にソレノイド等により可動する可変翼を設け、遊技盤１上を流下する遊技球が該可変翼の状態によって該球受口９に流入し易く、或いは流入し難く変化するものとしたり、或いは、ステージ１４上に遊技球の停留部１２ａ，１２ｂ，１２ｃへの停留を誘導したり或いは邪魔する可動体を設け、ソレノイド等のアクチュエータにより可動させることで、停留部へ遊技球が停留し易い状態と停留し難い状態とに変位させるようにすることが可能である。
【００１８】
【発明の効果】
このように本発明のパチンコ遊技機は、遊技盤の可視領域に遊技球が停留可能な停留部を設け、該停留部に遊技球が停留したことを検出する検出器を設けるとともに、停留した遊技球を該停留部から排出させる球排出装置を設け、該停留部に遊技球が停留することにより遊技状態が遊技者にとって有利または不利な状態に変化するようにしたので、停留の有無により遊技状況が刻々と変化し、遊技者はその停留状況を見ることにより現況の遊技状態の有利，不利が分かり、常に変化に富んだ遊技を楽しむことができ、興趣を増大させる効果がある。
【図面の簡単な説明】
【図１】本発明に係るパチンコ遊技機の実施形態を示す遊技盤の正面図。
【図２】図１の遊技盤の要部の拡大斜視図。
【図３】図２の透視斜視図。
【図４】図２の遊技盤の要部の縦断面図。
【図５】図４の作動状態図。
【図６】図２の作動状態図。
【図７】本発明に係るパチンコ遊技機の実施形態を示すブロック図。
【図８】本発明に係るパチンコ遊技機の実施形態を示すフローチャート。
【図９】本発明に係るパチンコ遊技機の実施形態を示すフローチャート。
【符号の説明】
１                        遊技盤
２                        図柄変動表示器
３                        始動口
４                        可変入賞装置
１２ａ，１２ｂ，１２ｃ    停留部
１３ａ，１３ｂ，１３ｃ    検出器
１４                      ステージ
１５                      遊技球
１８                      球排出装置
２４                      ソレノイド
【図１】
2004337453.tif 000003
【図２】
2004337453.tif 000004
【図３】
2004337453.tif 000005
【図４】
2004337453.tif 000006
【図５】
2004337453.tif 000007
【図６】
2004337453.tif 000008
【図７】
2004337453.tif 000009
【図８】
2004337453.tif 000010
【図９】
2004337453.tif 000011